(57)【要約】【課題】番組表を用いた番組予約時に音声形式等の指定をユーザーが忘れることなく予約することが可能な予約受付装置等を提供すること。【解決手段】予約受付装置１００が、電子番組情報を入力する電子番組情報入力部１２０と、前記電子番組情報に基づき、電子番組表を示す電子番組表画像を生成する画像生成部１３０と、ユーザーによる前記電子番組表における番組の選択を示す予約情報を入力する予約入力部１１０とを含んで構成され、画像生成部１３０が、前記電子番組情報が１つの番組に対して複数種類の音声形式での記録が可能である場合に、当該音声形式ごとに番組を区分して選択可能な形式で前記電子番組表画像を生成するように構成される。【選択図】図３
2008118523.tif 000002
【特許請求の範囲】
【請求項１】
電子番組情報を入力する電子番組情報入力部と、
前記電子番組情報に基づき、電子番組表を示す電子番組表画像を生成する画像生成部と、
ユーザーによる前記電子番組表における番組の選択を示す予約情報を入力する予約入力部と、
を含み、
前記画像生成部は、前記電子番組情報が１つの番組に対して複数種類の音声形式での記録が可能である場合に、当該音声形式ごとに番組を区分して選択可能な形式で前記電子番組表画像を生成することを特徴とする予約受付装置。
【請求項２】
請求項１に記載の予約受付装置において、
前記画像生成部は、前記電子番組情報に基づき、前記音声形式ごとに区分された番組ごとに番組名および前記音声形式を示す前記電子番組表画像を生成することを特徴とする予約受付装置。
【請求項３】
請求項１、２のいずれかに記載の予約受付装置において、
前記画像生成部は、前記電子番組情報における番組ごとに記録可能な音声形式数を示す仮想チャンネル数を前記電子番組情報に付加するとともに、前記仮想チャンネル数に基づき、番組を区分することを特徴とする予約受付装置。
【請求項４】
請求項３に記載の予約受付装置において、
前記複数種類の音声形式は、モノラル形式、２か国語形式、音声多重形式を含み、
前記画像生成部は、前記モノラル形式の場合は前記仮想チャンネル数を１に設定し、前記２か国語形式の場合は前記仮想チャンネル数を２に設定し、前記音声多重形式の場合は前記仮想チャンネル数を３に設定することを特徴とする予約受付装置。
【請求項５】
請求項１〜４のいずれかに記載の予約受付装置において、
前記画像生成部は、前記電子番組情報が１つの番組に対して複数種類の画像形式での記録が可能である場合に、当該画像形式ごとおよび前記音声形式ごとに番組を区分して選択可能な形式で前記電子番組表画像を生成することを特徴とする予約受付装置。
【請求項６】
電子番組情報を入力する電子番組情報入力部と、
前記電子番組情報に基づき、電子番組表を示す電子番組表画像を生成する画像生成部と、
ユーザーによる前記電子番組表における番組の選択を示す予約情報を入力する予約入力部と、
を含み、
前記画像生成部は、前記電子番組情報が１つの番組に対して複数種類の画像形式での記録が可能である場合に、当該画像形式ごとに番組を区分して選択可能な形式で前記電子番組表画像を生成することを特徴とする予約受付装置。
【請求項７】
請求項５、６のいずれかに記載の予約受付装置において、
前記画像形式は、クローズドキャプションを付加して画像を表示する形式、前記クローズドキャプションを付加しないで画像を表示する形式を含むことを特徴とする予約受付装置。
【請求項８】
請求項５〜７のいずれかに記載の予約受付装置において、
前記画像形式は、番組に付随する付随情報を付加して画像を表示する形式、前記付随情報を付加しないで画像を表示する形式を含むことを特徴とする予約受付装置。
【請求項９】
コンピュータが、
電子番組情報を入力し、
前記電子番組情報に基づき、電子番組表を示す電子番組表画像を生成し、
当該番組表画像を表示し、
ユーザーによる前記電子番組表における番組の選択を示す予約情報を入力する予約受付方法において、
前記コンピュータは、前記電子番組情報が１つの番組に対して複数種類の音声形式での記録が可能である場合に、当該音声形式ごとに番組を区分して選択可能な形式で前記電子番組表画像を生成することを特徴とする予約受付方法。
【請求項１０】
コンピュータが、
電子番組情報を入力し、
前記電子番組情報に基づき、電子番組表を示す電子番組表画像を生成し、
当該番組表画像を表示し、
ユーザーによる前記電子番組表における番組の選択を示す予約情報を入力する予約受付方法において、
前記コンピュータは、前記電子番組情報が１つの番組に対して複数種類の画像形式での記録が可能である場合に、当該画像形式ごとに番組を区分して選択可能な形式で前記電子番組表画像を生成することを特徴とする予約受付方法。
【発明の詳細な説明】
【技術分野】
【０００１】
本発明は、電子番組表を用いて番組録画等の予約を受け付ける予約受付装置および予約受付方法に関する。
【背景技術】
【０００２】
ＴＶ番組の録画等が行われる場合、電子番組情報であるＥＰＧ(Electronic Program Guide)を用いた録画等が行われることがある。例えば、特開平８−２７５０７７号公報では、ＥＰＧを用いた電子番組ガイドシステムが記載されている。
【０００３】
また、ＴＶ番組等の音声形式には、モノラル形式、２か国語形式、音声多重形式等の種々の音声形式があり、一般的な録画装置では、録画の予約時の指定に応じた音声形式でＴＶ番組の録画を行っている。
【０００４】
また、ＴＶ番組等では、クローズドキャプション（字幕）ありの画像、クローズドキャプションなしの画像等の画像形式の指定をすることも可能であり、一般的な録画装置では、録画の予約時の指定に応じてクローズドキャプションの有無等を決定してＴＶ番組の録画を行っている。
【特許文献１】特開平８−２７５０７７号公報
【発明の開示】
【発明が解決しようとする課題】
【０００５】
しかし、音声形式や画像形式を録画時に指定する方式の場合、ユーザーが指定し忘れてしまい、ユーザーが意図しない形式で番組が録画されてしまうことがある。
【０００６】
また、選択可能なすべての形式で番組を録画し、再生時にユーザーが再生形式を選択して番組を再生する方式も考えられる。しかし、音声形式には、モノラル形式、２か国語形式、音声多重形式等の多数の形式があり、これらの形式のすべてのデータを再生可能に録画するためにはデータ量も多大となる上、ユーザーが望まない形式で録画されることになり、録画装置の記憶領域が無駄に使用されることになる。
【０００７】
本発明の目的は、電子番組表を用いた番組予約時に音声形式等の指定をユーザーが忘れることなく予約することが可能な予約受付装置および予約受付方法を提供することにある。
【課題を解決するための手段】
【０００８】
上記課題を解決するため、本発明に係る予約受付装置は、
電子番組情報を入力する電子番組情報入力部と、
前記電子番組情報に基づき、電子番組表を示す電子番組表画像を生成する画像生成部と、
ユーザーによる前記電子番組表における番組の選択を示す予約情報を入力する予約入力部と、
を含み、
前記画像生成部は、前記電子番組情報が１つの番組に対して複数種類の音声形式での記録が可能である場合に、当該音声形式ごとに番組を区分して選択可能な形式で前記電子番組表画像を生成することを特徴とする。
【０００９】
また、本発明に係る予約受付方法は、
コンピュータが、
電子番組情報を入力し、
前記電子番組情報に基づき、電子番組表を示す電子番組表画像を生成し、
当該番組表画像を表示し、
ユーザーによる前記電子番組表における番組の選択を示す予約情報を入力する予約受付方法において、
前記コンピュータは、前記電子番組情報が１つの番組に対して複数種類の音声形式での記録が可能である場合に、当該音声形式ごとに番組を区分して選択可能な形式で前記電子番組表画像を生成することを特徴とする。
【００１０】
本発明によれば、予約受付装置等は、音声形式ごとに番組を区分して選択可能な形式で電子番組表画像を生成することにより、ユーザーに番組を選択させる際に同時に音声形式も選択させることができる。これにより、ユーザーは、電子番組表を用いた番組予約時に音声形式の指定を忘れることなく予約することができる。
【００１１】
また、前記画像生成部は、前記電子番組情報に基づき、前記音声形式ごとに区分された番組ごとに番組名および前記音声形式を示す前記電子番組表画像を生成してもよい。
【００１２】
これによれば、予約受付装置等は、電子番組表画像に番組名と併せて音声形式も示すことにより、ユーザーは、所望の音声形式での予約を行いやすい。
【００１３】
また、前記画像生成部は、前記電子番組情報における番組ごとに記録可能な音声形式数を示す仮想チャンネル数を前記電子番組情報に付加するとともに、前記仮想チャンネル数に基づき、番組を区分してもよい。
【００１４】
これによれば、予約受付装置等は、仮想チャンネル数を用いることにより、通常の電子番組表画像の生成と同様に音声形式ごとの電子番組表画像の生成を行うことができる。
【００１５】
また、前記複数種類の音声形式は、モノラル形式、２か国語形式、音声多重形式を含み、
前記画像生成部は、前記モノラル形式の場合は前記仮想チャンネル数を１に設定し、前記２か国語形式の場合は前記仮想チャンネル数を２に設定し、前記音声多重形式の場合は前記仮想チャンネル数を３に設定してもよい。
【００１６】
これによれば、予約受付装置等は、音声形式に応じて適切な番組表画像の生成を行うことができる。
【００１７】
また、前記画像生成部は、前記電子番組情報が１つの番組に対して複数種類の画像形式での記録が可能である場合に、当該画像形式ごとおよび前記音声形式ごとに番組を区分して選択可能な形式で前記電子番組表画像を生成してもよい。
【００１８】
これによれば、予約受付装置等は、画像形式ごとに番組を区分して選択可能な形式で電子番組表画像を生成することにより、ユーザーに番組を選択させる際に同時に画像形式も選択させることができる。
【００１９】
また、本発明に係る予約受付装置は、
電子番組情報を入力する電子番組情報入力部と、
前記電子番組情報に基づき、電子番組表を示す電子番組表画像を生成する画像生成部と、
ユーザーによる前記電子番組表における番組の選択を示す予約情報を入力する予約入力部と、
を含み、
前記画像生成部は、前記電子番組情報が１つの番組に対して複数種類の画像形式での記録が可能である場合に、当該画像形式ごとに番組を区分して選択可能な形式で前記電子番組表画像を生成することを特徴とする。
【００２０】
また、本発明に係る予約受付方法は、
コンピュータが、
電子番組情報を入力し、
前記電子番組情報に基づき、電子番組表を示す電子番組表画像を生成し、
当該番組表画像を表示し、
ユーザーによる前記電子番組表における番組の選択を示す予約情報を入力する予約受付方法において、
前記コンピュータは、前記電子番組情報が１つの番組に対して複数種類の画像形式での記録が可能である場合に、当該画像形式ごとに番組を区分して選択可能な形式で前記電子番組表画像を生成することを特徴とする。
【００２１】
本発明によれば、予約受付装置等は、画像形式ごとに番組を区分して選択可能な形式で電子番組表画像を生成することにより、ユーザーに番組を選択させる際に同時に画像形式も選択させることができる。これにより、ユーザーは、電子番組表を用いた番組予約時に画像形式の指定を忘れることなく予約することができる。
【００２２】
また、前記画像形式は、クローズドキャプションを付加して画像を表示する形式、前記クローズドキャプションを付加しないで画像を表示する形式を含んでもよい。
【００２３】
これによれば、ユーザーは、電子番組表を用いた番組予約時にクローズドキャプションの指定を忘れることなく予約することができる。
【００２４】
また、前記画像形式は、番組に付随する付随情報を付加して画像を表示する形式、前記付随情報を付加しないで画像を表示する形式を含んでもよい。
【００２５】
これによれば、ユーザーは、電子番組表を用いた番組予約時に付随情報の指定を忘れることなく予約することができる。なお、付随情報としては、例えば、デジタル放送におけるデータ情報、文字情報等が該当する。
【発明を実施するための最良の形態】
【００２６】
以下、本発明を予約受付装置に適用した場合を例に採り、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２７】
（第１の実施例）
まず、音声形式ごとに番組を区分して選択可能な形式で電子番組表画像を生成する実施例について説明する。
【００２８】
図１は、従来の電子番組表画像３００の一例を示す図である。また、図２は、第１の実施例における電子番組表画像３１０の一例を示す図である。
【００２９】
従来の方式では、電子番組表画像３００を表示し、ユーザーに番組を選択させ、ユーザーから要求があった場合に音声形式を選択させていた。このため、ユーザーは、音声形式を選択し忘れることがある上、少なくとも２回の選択を行う必要があり、選択に手間がかかっていた。
【００３０】
これに対し、本実施例では、音声形式ごとに番組を区分して選択可能な形式で電子番組表画像３１０を生成し、表示する。例えば、本実施例の予約受付装置は、音声多重形式での録画が可能な「国際ニュース」を、主音声での録画指定を示す「国際ニュース  主」、副音声での録画指定を示す「国際ニュース  副」、主音声および副音声での録画指定を示す「国際ニュース  主副」の３つに区分して表示する。
【００３１】
これにより、ユーザーは、番組の選択と一緒に音声形式も選択することができる。
【００３２】
次に、このような機能を有する予約受付装置の機能ブロックについて説明する。
【００３３】
図３は、第１の実施例における予約受付装置１００の機能ブロック図である。
【００３４】
予約受付装置１００は、ユーザーによる電子番組表における番組の選択を示す予約情報を入力する予約入力部１１０と、電子番組情報（例えば、ＥＰＧ、ｉＥＰＧ等）を入力する電子番組情報入力部１２０と、電子番組表画像３１０等を生成する画像生成部１３０と、種々のデータを記憶する記憶部１４０と、録画部１５０と、電子番組表画像３１０等を表示する表示部１６０とを含んで構成されている。
【００３５】
また、記憶部１４０は、予約入力部１１０によって入力された予約情報を示す予約データ１４２、電子番組情報入力部１２０によって入力された電子番組情報を示す電子番組データ１４４、録画部１５０によって録画された録画データ１４６等を記憶している。
【００３６】
なお、これらの各部の機能を実装するためのハードウェアとしては以下のものを採用してもよい。
【００３７】
例えば、予約入力部１１０としては操作ボタン、リモコン（リモートコントローラ）等、電子番組情報入力部１２０としてはＬＡＮの端子、デコーダ等、記憶部１４０としてはＨＤＤ等、録画部１５０としてはチューナー等、画像生成部１３０としてはＣＰＵ、画像処理回路等、表示部１６０としては液晶パネル等が採用されてもよい。
【００３８】
なお、予約受付装置１００としては、具体的には、例えば、表示部１６０を有するＴＶと、予約入力部１１０、電子番組情報入力部１２０、画像生成部１３０、記憶部１４０および録画部１５０を有するＨＤＤレコーダー等が該当する。
【００３９】
次に、これらの各部を用いた予約処理の流れについて説明する。
【００４０】
図４は、第１の実施例における予約処理の流れを示すフローチャートである。
【００４１】
電子番組情報入力部１２０は、インターネットやケーブルＴＶ網を介して電子番組情報を入力し（ステップＳ１）、電子番組データ１４４として記憶部１４０に記憶する。
【００４２】
なお、電子番組情報はいわゆるＥＰＧであり、種々の情報が含まれる。例えば、電子番組情報にはＥＩＴ(Event Information Table)が含まれ、ＥＩＴには音声コンポーネント記述子が含まれる。さらに、音声コンポーネント記述子にはcomponent_tagが含まれる。画像生成部１３０は、component_tagの値から音声形式（モノラル、デュアルモノ等）を識別することができる。
【００４３】
また、画像生成部１３０は、電子番組情報に含まれるES_multi_lingual_flagによって音声多重形式なのか２か国語形式なのかを識別することができる。
【００４４】
まず、画像生成部１３０は、電子番組データ１４４の対象番組のcomponent_tagを参照してモノラルかモノラル以外（デュアルモノ）かを判定する（ステップＳ２）。
【００４５】
画像生成部１３０は、モノラルの場合、仮想チャンネル数を１に設定する（ステップＳ３）。
【００４６】
そして、画像生成部１３０は、当該対象番組の仮想チャンネル数が１であることを示すデータを電子番組データ１４４に付加することにより、電子番組データ１４４を更新する（ステップＳ８）。
【００４７】
一方、電子番組データ１４４の対象番組のcomponent_tagがモノラル以外であることを示す場合、画像生成部１３０は、対象番組のES_multi_lingual_flagを参照して２か国語形式か２か国語形式以外（音声多重形式）かを判定する（ステップＳ４）。
【００４８】
２か国語形式である場合、画像生成部１３０は、仮想チャンネル数を２に設定する（ステップＳ５）。
【００４９】
さらに、２か国語形式である場合、画像生成部１３０は、対象番組を複数の番組に区分して各番組に音声形式を示す情報を番組名に付加する（ステップＳ６）。具体的には、例えば、図２に示す「国際ニュース」が２か国語形式の場合、画像生成部１３０は、「国際ニュース」に「主」を付加した番組名を有する番組と、「国際ニュース」に「副」を付加した番組名を有する番組に区分する。
【００５０】
そして、画像生成部１３０は、当該対象番組の仮想チャンネル数が２であることを示すデータを電子番組データ１４４に付加することにより、電子番組データ１４４を更新する（ステップＳ８）。
【００５１】
また、音声形式が音声多重形式である場合、画像生成部１３０は、仮想チャンネル数を３に設定する（ステップＳ７）。
【００５２】
さらに、音声多重形式である場合、画像生成部１３０は、対象番組を複数の番組に区分して各番組に音声形式を示す情報を番組名に付加する（ステップＳ６）。具体的には、例えば、図２に示す「国際ニュース」が音声多重形式の場合、画像生成部１３０は、「国際ニュース」に「主」を付加した番組名を有する番組と、「国際ニュース」に「副」を付加した番組名を有する番組と、「国際ニュース」に「主副」を付加した番組名を有する番組に区分する。
【００５３】
そして、画像生成部１３０は、当該対象番組の仮想チャンネル数が３であることを示すデータを電子番組データ１４４に付加することにより、電子番組データ１４４を更新する（ステップＳ８）。
【００５４】
予約受付装置１００は、以上の処理（ステップＳ１〜Ｓ８）を必要な電子番組情報の入力、電子番組データ１４４の更新が終了するまで（ステップＳ９）繰り返し実行する。
【００５５】
必要な電子番組データ１４４の更新が終了した場合、画像生成部１３０は、電子番組データ１４４に基づき、電子番組表画像３１０を生成し、表示部１６０は、電子番組表画像３１０を表示する（ステップＳ１０）。
【００５６】
より具体的には、画像生成部１３０は、電子番組データ１４４の仮想チャンネル数が１である場合は通常通りの処理を実行し、仮想チャンネル数が２である場合は番組表示枠を縦方向に２分割し、「主」を付加した番組と、「副」を付加した番組を配置し、仮想チャンネル数が３である場合は番組表示枠を縦方向に３分割し、「主」を付加した番組と、「副」を付加した番組と、「主副」を付加した番組を配置する。
【００５７】
ユーザーは、電子番組表画像３１０が表示された状態で所望の番組を選択する。具体的には、例えば、ユーザーは、リモコンを操作して電子番組表画像３１０内のカーソルを移動させて予約する番組を選択し、リモコンの録画予約ボタンを押して録画指示を行う。
【００５８】
予約入力部１１０は、リモコンからの当該録画指示を示す予約情報に基づき、予約データ１４２を記憶部１４０に記憶する（ステップＳ１１）。なお、予約データ１４２のフォーマットは従来のフォーマットと同様である。例えば、「国際ニュース  副」の録画指示が行われた場合、予約入力部１１０は、従来の「国際ニュース」が選択された後に「副音声」が選択された場合と同様のフォーマットで予約データ１４２を記憶部１４０に記憶する。
【００５９】
これにより、録画部１５０は、予約データ１４２に基づき、予約日時になった場合に予約された番組を指定された音声形式で録画データ１４６として記憶部１４０に記憶することができる。
【００６０】
以上のように、本実施例によれば、予約受付装置１００は、音声形式ごとに番組を区分して選択可能な形式で電子番組表画像３１０を生成することにより、ユーザーに番組を選択させる際に同時に音声形式も選択させることができる。これにより、ユーザーは、電子番組表を用いた番組予約時に音声形式の指定を忘れることなく予約することができる。
【００６１】
また、図２に示すように、電子番組表画像３１０では、番組名と併せて音声形式も示されている。これにより、ユーザーは、所望の音声形式での予約を行いやすい。
【００６２】
また、本実施例によれば、予約受付装置１００は、音声形式に対応した仮想チャンネル数を用いることにより、通常の電子番組表画像の生成と同様に音声形式ごとの電子番組表画像３１０の生成を行うことができる。
【００６３】
特に、本実施例によれば、予約受付装置１００は、既存の電子番組情報を用いて１つの番組を複数の仮想的な番組として処理することにより、予約データ１４２および電子番組データ１４４のフォーマットを変更することなく予約の受け付けおよび録画を行うことができる。
【００６４】
したがって、予約受付装置１００の機能を実装する場合の従来の予約受付装置の構成を大幅に変更することなく実装できる上、ユーザーにとっても予約時の作業が省力化されるため、予約受付装置１００は、ユーザーの利便性を向上させることができる。
【００６５】
さらに、本実施例によれば、予約受付装置１００は、ユーザーの所望の音声形式による番組のみを録画することにより、従来のようにすべての音声形式で番組を録画する必要はないため、記憶部１４０の記憶領域を無駄に使用することなく、録画を行うことができる。
【００６６】
（第２の実施例）
次に、画像形式（本実施例ではクローズドキャプションありの画像とクローズドキャプションなし画像）ごとに番組を区分して選択可能な形式で電子番組表画像を生成する実施例について説明する。
【００６７】
図５は、従来の電子番組表画像３０２の他の一例を示す図である。また、図６は、第２の実施例における電子番組表画像３１２の他の一例を示す図である。
【００６８】
クローズドキャプション（字幕等）についても、従来、ユーザーは、電子番組表画像３０２で番組を選択した後に、クローズドキャプションの有無を選択する必要があり、選択し忘れたり、選択の手間がかかったりしていた。
【００６９】
これに対し、本実施例では、第１の実施例と同様に、画像生成部１３０は、電子番組情報入力部１２０によって入力された電子番組データ１４４が１つの番組に対して複数種類の画像形式での記録が可能である場合に、当該画像形式ごとに番組を区分して選択可能な形式で電子番組表画像３１２を生成する。具体的には、例えば、画像生成部１３０は、所定の番組予約においてクローズドキャプションの指定が可能である場合、対象番組を、当該番組の番組名に「ＣＣ  ＯＮ（クローズドキャプションあり）」を付加した番組名を有する番組と、当該番組の番組名に「ＣＣ  ＯＦＦ（クローズドキャプションなし）」を付加した番組名を有する番組に区分する。
【００７０】
以下、第２の実施例における予約処理の流れについて説明する。
【００７１】
図７は、第２の実施例における予約処理の流れを示すフローチャートである。
【００７２】
電子番組情報入力部１２０は、インターネットやケーブルＴＶ網を介して電子番組情報を入力し（ステップＳ２１）、電子番組データ１４４として記憶部１４０に記憶する。
【００７３】
なお、電子番組情報にはＥＩＴが含まれ、ＥＩＴのコンポーネント記述子のcomponent_tagからクローズドキャプションの有無が判別可能である。
【００７４】
画像生成部１３０は、これらの情報に基づいて電子番組データ１４４の対象番組にクローズドキャプションの指定がないかどうかを判定する（ステップＳ２２）。
【００７５】
指定がない場合、画像生成部１３０は、当該対象番組の仮想チャンネル数を１に設定し（ステップＳ２３）、仮想チャンネル数が１であることを示すデータを電子番組データ１４４に付加することにより、電子番組データ１４４を更新する（ステップＳ２６）。
【００７６】
一方、電子番組データ１４４の対象番組にクローズドキャプションの指定がある場合、画像生成部１３０は、当該対象番組の仮想チャンネル数を２に設定し（ステップＳ２４）、対象番組を複数の番組に区分して各番組の電子番組データ１４４に画像形式（クローズドキャプションの有無）を示す情報（「ＣＣ  ＯＮ」または「ＣＣ  ＯＦＦ」）を付加するとともに（ステップＳ２５）、仮想チャンネル数が１であることを示すデータを電子番組データ１４４に付加することにより、電子番組データ１４４を更新する（ステップＳ２６）。
【００７７】
予約受付装置１００は、以上の処理（ステップＳ２１〜Ｓ２６）を必要な電子番組情報の入力、電子番組データ１４４の更新が終了するまで（ステップＳ２７）繰り返し実行する。
【００７８】
必要な電子番組データ１４４の更新が終了した場合、画像生成部１３０は、電子番組データ１４４に基づき、電子番組表画像３１２を生成し、表示部１６０は、電子番組表画像３１２を表示する（ステップＳ２８）。
【００７９】
より具体的には、画像生成部１３０は、電子番組データ１４４の仮想チャンネル数が１である場合は通常通りの処理を実行し、仮想チャンネル数が２である場合は番組表示枠を縦方向に２分割し、「ＣＣ  ＯＮ」を付加した番組と、「ＣＣ  ＯＦＦ」を付加した番組を配置する。
【００８０】
ユーザーは、電子番組表画像３１２が表示された状態で所望の番組を選択する。具体的には、例えば、ユーザーは、リモコンを操作して電子番組表画像３１２内のカーソルを移動させて予約する番組を選択し、リモコンの録画予約ボタンを押して録画指示を行う。
【００８１】
予約入力部１１０は、リモコンからの当該録画指示を示す予約情報に基づき、予約データ１４２を記憶部１４０に記憶する（ステップＳ２９）。なお、予約データ１４２のフォーマットは従来のフォーマットと同様である。例えば、「映画  ＣＣ  ＯＮ」の録画指示が行われた場合、予約入力部１１０は、従来の「映画」が選択された後に「クローズドキャプションあり」が選択された場合と同様のフォーマットで予約データ１４２を記憶部１４０に記憶する。また、例えば、「映画  ＣＣ  ＯＦＦ」の録画指示が行われた場合、予約入力部１１０は、従来の「映画」が選択された後に「クローズドキャプションなし」が選択された場合と同様のフォーマットで予約データ１４２を記憶部１４０に記憶する。
【００８２】
これにより、録画部１５０は、予約データ１４２に基づき、予約日時になった場合に予約された番組を指定された画像形式で録画データ１４６として記憶部１４０に記憶することができる。
【００８３】
以上のように、本実施例によれば、予約受付装置１００は、第１の実施例と同様の作用効果を奏する。
【００８４】
また、本実施例によれば、予約受付装置１００は、画像形式ごとに番組を区分して選択可能な形式で電子番組表画像を生成することにより、ユーザーに番組を選択させる際に同時に画像形式も選択させることができる。これにより、ユーザーは、電子番組表を用いた番組予約時にクローズドキャプション等の画像形式の指定を忘れることなく予約することができる。
【００８５】
（その他の実施例）
なお、本発明の適用は上述した実施例に限定されず、種々の変形が可能である。
【００８６】
例えば、本発明は第１の実施例と第２の実施例の両方を組み合わせた場合にも適用可能である。すなわち、予約受付装置１００は、複数種の音声形式と複数種の画像形式を同時に指定して予約を受け付けてもよい。
【００８７】
例えば、対象番組が映画で、音声形式として、主音声、副音声、主音声および副音声の指定が可能であり、画像形式として、クローズドキャプションあり、クローズドキャプションなしの指定が可能である場合、画像生成部１３０は、仮想チャンネル数を６つに設定し、「映画  主  ＣＣ  ＯＮ」、「映画  主  ＣＣ  ＯＦＦ」、「映画  副  ＣＣ  ＯＮ」、「映画  副  ＣＣ  ＯＦＦ」、「映画  主副  ＣＣ  ＯＮ」、「映画  主副  ＣＣ  ＯＦＦ」の６つの番組を電子番組表に配置すればよい。
【００８８】
また、音声形式は、上述したモノラル等には限定されず、例えば、ステレオ、フロント３／リア１、フロント３／リア２、５．１ｃｈ等であってもよい。
【００８９】
また、画像形式は、上述したクローズドキャプションの有無に応じた形式には限定されず、例えば、番組に付随する付随情報の有無に応じた形式であってもよい。なお、付随情報としては、例えば、デジタル放送におけるデータ情報、文字情報等が該当する。
【００９０】
これによれば、ユーザーは、電子番組表を用いた番組予約時にデジタル放送におけるデータ情報等の指定を忘れることなく予約することができる。
【００９１】
なお、予約受付装置１００の機能は、１台の装置に実装されてもよいし、２台以上の装置に分散して実装されてもよい。例えば、予約受付装置として、予約入力部１１０および表示部１６０を有する携帯電話と、電子番組情報入力部１２０、画像生成部１３０、記憶部１４０および録画部１５０を有するＨＤＤレコーダーを採用してもよい。
【００９２】
また、上述した実施例では録画する場合を例に採り説明したが、ラジオ番組等を、音声形式を指定して録音する場合にも本発明は適用可能である。
【００９３】
また、電子番組表画像３１０、３１２における音声形式や画像形式の表示の仕方は上述した実施例には限定されない。例えば、予約受付装置１００は、音声種類名（５．１ｃｈ等）を表示してもよいし、２か国語を表示する場合に言語名（日本語、英語等）を表示してもよいし、アイコン等の画像を表示してもよい。なお、画像生成部１３０は、言語名を示す場合、電子番組データ１４４に含まれるISO_639_language_code_2から言語名を判別することができる。
【図面の簡単な説明】
【００９４】
【図１】従来の電子番組表画像の一例を示す図である。
【図２】第１の実施例における電子番組表画像の一例を示す図である。
【図３】第１の実施例における予約受付装置の機能ブロック図である。
【図４】第１の実施例における予約処理の流れを示すフローチャートである。
【図５】従来の電子番組表画像の他の一例を示す図である。
【図６】第２の実施例における電子番組表画像の他の一例を示す図である。
【図７】第２の実施例における予約処理の流れを示すフローチャートである。
【符号の説明】
【００９５】
１００  予約受付装置、１１０  予約入力部、１２０  電子番組情報入力部、１３０  画像生成部、１４０  記憶部、１４２  予約データ、１４４  電子番組データ、１４６  録画データ、１５０  録画部、１６０  表示部、３１０、３１２電子番組表画像
【図１】
2008118523.tif 000003
【図２】
2008118523.tif 000004
【図３】
2008118523.tif 000005
【図４】
2008118523.tif 000006
【図５】
2008118523.tif 000007
【図６】
2008118523.tif 000008
【図７】
2008118523.tif 000009